(57)【特許請求の範囲】
【請求項１】
複数の刷版が取り付けられ、印刷されるウェブを異なる送出経路で送出することによって異種の印刷物を同時に印刷可能に構成された輪転印刷機に用いられ、前記刷版が取り付けられる版胴の刷版取付位置と印刷物の頁とを対応させた頁割付を表示する表示部を備えた印刷頁表示装置であって、
異種の印刷物が同時に印刷される場合に、前記送出経路を設定するための操作指令に基づいて前記表示部に前記頁割付が表示され、この頁割付に対して各前記印刷物に対応した刷版の版胴への取付位置を明示するように前記印刷物の種類ごとに前記表示部の表示形態を変えて異なる指標をあらわす指標部を備えた印刷頁表示装置において、
前記指標部であらわされる印刷種情報を、前記表示部に表示される頁情報に対して付加する管理部と、
前記管理部に接続され、前記頁情報から前記印刷種情報を取得して前記指標部を制御する制御部と、
を備え、異種の印刷物が同時に印刷される場合の各印刷作業に応じて前記管理部がそれぞれ設けられることを特徴とする印刷頁表示装置。
【請求項２】
複数の刷版が取り付けられ、印刷されるウェブを異なる送出経路で送出することによって異種の印刷物を同時に印刷可能に構成された輪転印刷機に用いられ、前記刷版が取り付けられる版胴の刷版取付位置と印刷物の頁とを対応させた頁割付を表示する表示部を備えた印刷頁表示装置であって、
異種の印刷物が同時に印刷される場合に、前記送出経路を設定するための操作指令に基づいて前記表示部に前記頁割付が表示され、この頁割付に対して各前記印刷物に対応した刷版の版胴への取付位置を明示するように前記印刷物の種類ごとに異なる指標をあらわす指標部を備えるとともに、前記指標部は前記表示部の表示形態とは別形態の指標で示す印刷頁表示装置において、
前記指標部であらわされる印刷種情報を、前記表示部に表示される頁情報に対して付加する管理部と、
前記管理部に接続され、前記頁情報から前記印刷種情報を取得して前記指標部を制御する制御部と、
を備え、異種の印刷物が同時に印刷される場合の各印刷作業に応じて前記管理部がそれぞれ設けられることを特徴とする印刷頁表示装置。
【請求項３】
複数の刷版が取り付けられ、印刷されるウェブを異なる送出経路で送出することによって異種の印刷物を同時に印刷可能に構成された輪転印刷機に用いられ、前記刷版が取り付けられる版胴の刷版取付位置と印刷物の頁とを対応させた頁割付を表示する表示部を備えた印刷頁表示装置であって、
異種の印刷物が同時に印刷される場合に、前記送出経路を設定するための操作指令に基づいて前記表示部に前記頁割付が表示され、この頁割付に対して各前記印刷物に対応した刷版の版胴への取付位置を明示するように前記印刷物の種類ごとに前記表示部の表示形態を変えて異なる指標をあらわす指標部を備えた印刷頁表示装置において、
前記指標部であらわされる印刷種情報を、自身のアドレスデータに対して付加する管理部と、
前記管理部に接続され、前記アドレスデータから前記印刷種情報を取得して前記指標部を制御する制御部と、
を備え、異種の印刷物が同時に印刷される場合の各印刷作業に応じて前記管理部がそれぞれ設けられることを特徴とする印刷頁表示装置。
【請求項４】
複数の刷版が取り付けられ、印刷されるウェブを異なる送出経路で送出することによって異種の印刷物を同時に印刷可能に構成された輪転印刷機に用いられ、前記刷版が取り付けられる版胴の刷版取付位置と印刷物の頁とを対応させた頁割付を表示する表示部を備えた印刷頁表示装置であって、
異種の印刷物が同時に印刷される場合に、前記送出経路を設定するための操作指令に基づいて前記表示部に前記頁割付が表示され、この頁割付に対して各前記印刷物に対応した刷版の版胴への取付位置を明示するように前記印刷物の種類ごとに異なる指標をあらわす指標部を備えるとともに、前記指標部は前記表示部の表示形態とは別形態の指標で示す印刷頁表示装置において、
前記指標部であらわされる印刷種情報を、自身のアドレスデータに対して付加する管理部と、
前記管理部に接続され、前記アドレスデータから前記印刷種情報を取得して前記指標部を制御する制御部と、
を備え、異種の印刷物が同時に印刷される場合の各印刷作業に応じて前記管理部がそれぞれ設けられることを特徴とする印刷頁表示装置。
【請求項５】
前記指標部は、前記表示部に備えられていることを特徴とする請求項１〜４のいずれか一つに記載の印刷頁表示装置。
【請求項６】
前記輪転印刷機は、前記版胴を備えた印刷ユニットを複数備えるとともに、
前記指標部は、前記版胴を備えた複数の印刷ユニットごとに設けられ、異種の印刷を行う前記印刷ユニットに対して異なる指標をあらわすことを特徴とする請求項１〜４のいずれか一つに記載の印刷頁表示装置。
【請求項７】
前記異種の印刷物が同時に印刷される場合は、前記印刷ユニット単位で異種の印刷物が同時に印刷される場合であって、前記指標部は、前記各印刷ユニットに対して各前記印刷物に対応した刷版の版胴への取付位置を明示するように前記印刷物の種類ごとに各前記印刷ユニットに異なる指標をあらわすことを特徴とする請求項６に記載の印刷頁表示装置。
【請求項８】
前記指標部は、同じ版胴により異種の印刷物が同時に印刷される場合、該版胴の刷版取付位置ごとに異なる指標をあらわすことを特徴とする請求項１〜７のいずれか一つに記載の印刷頁表示装置。
【請求項９】
複数の刷版が取り付けられ、印刷されるウェブを異なる送出経路で送出することによって異種の印刷物を同時に印刷可能に構成された輪転印刷機にて、前記刷版が取り付けられる版胴の刷版取付位置と印刷物の頁とを対応させた頁割付を表示する印刷頁表示方法であって、
異種の印刷物が同時に印刷されるとき、前記送出経路を設定するための操作指令に基づいて前記頁割付を表示し、この頁割付に対して各前記印刷物に対応した刷版の版胴への取付位置を明示するように前記印刷物の種類ごとに異なる前記頁割付の表示の表示形態を変える印刷頁表示方法において、
刷版の版胴への取付位置が各前記印刷物の種類ごとに異なることを示す印刷種情報を、前記頁割付を表示する頁情報に対して付加して管理部で管理し、前記頁情報から前記印刷種情報を取得して前記頁割付の表示の表示形態を変える制御を制御部で行っており、前記印刷種情報を、異種の印刷物が同時に印刷される場合の各印刷作業に応じて設けられたそれぞれの管理部で管理することを特徴とする印刷頁表示方法。
【請求項１０】
複数の刷版が取り付けられ、印刷されるウェブを異なる送出経路で送出することによって異種の印刷物を同時に印刷可能に構成された輪転印刷機にて、前記刷版が取り付けられる版胴の刷版取付位置と印刷物の頁とを対応させた頁割付を表示する印刷頁表示方法であって、
異種の印刷物が同時に印刷されるとき、前記送出経路を設定するための操作指令に基づいて前記頁割付を表示し、この頁割付に対して各前記印刷物に対応した刷版の版胴への取付位置を明示するように前記印刷物の種類ごとに異なることを前記頁割付の表示の表示形態とは別形態で示す印刷頁表示方法において、
刷版の版胴への取付位置が各前記印刷物の種類ごとに異なることを示す印刷種情報を、前記頁割付を表示する頁情報に対して付加して管理部で管理し、前記頁情報から前記印刷種情報を取得して前記頁割付の表示の表示形態とは別形態で示す制御を制御部で行っており、前記印刷種情報を、異種の印刷物が同時に印刷される場合の各印刷作業に応じて設けられたそれぞれの管理部で管理することを特徴とする印刷頁表示方法。
【請求項１１】
複数の刷版が取り付けられ、印刷されるウェブを異なる送出経路で送出することによって異種の印刷物を同時に印刷可能に構成された輪転印刷機にて、前記刷版が取り付けられる版胴の刷版取付位置と印刷物の頁とを対応させた頁割付を表示する印刷頁表示方法であって、
異種の印刷物が同時に印刷されるとき、前記送出経路を設定するための操作指令に基づいて前記頁割付を表示し、この頁割付に対して各前記印刷物に対応した刷版の版胴への取付位置を明示するように前記印刷物の種類ごとに異なる前記頁割付の表示の表示形態を変える印刷頁表示方法において、
刷版の版胴への取付位置が各前記印刷物の種類ごとに異なることを示す印刷種情報を、管理部のアドレスデータに対して付加して管理し、前記アドレスデータから前記印刷種情報を取得して前記頁割付の表示の表示形態を変える制御を制御部で行っており、前記印刷種情報を、異種の印刷物が同時に印刷される場合の各印刷作業に応じて設けられたそれぞれの管理部で管理することを特徴とする印刷頁表示方法。
【請求項１２】
複数の刷版が取り付けられ、印刷されるウェブを異なる送出経路で送出することによって異種の印刷物を同時に印刷可能に構成された輪転印刷機にて、前記刷版が取り付けられる版胴の刷版取付位置と印刷物の頁とを対応させた頁割付を表示する印刷頁表示方法であって、
異種の印刷物が同時に印刷されるとき、前記送出経路を設定するための操作指令に基づいて前記頁割付を表示し、この頁割付に対して各前記印刷物に対応した刷版の版胴への取付位置を明示するように前記印刷物の種類ごとに異なることを前記頁割付の表示の表示形態とは別形態で示す印刷頁表示方法において、
刷版の版胴への取付位置が各前記印刷物の種類ごとに異なることを示す印刷種情報を、管理部のアドレスデータに対して付加して管理し、前記アドレスデータから前記印刷種情報を取得して前記頁割付の表示の表示形態とは別形態で示す制御を制御部で行っており、前記印刷種情報を、異種の印刷物が同時に印刷される場合の各印刷作業に応じて設けられたそれぞれの管理部で管理することを特徴とする印刷頁表示方法。
【発明の詳細な説明】
【技術分野】
【０００１】
本発明は、異種の印刷物を同時に印刷する輪転印刷機に用いられる印刷頁表示装置および印刷頁表示方法に関するものである。
【背景技術】
【０００２】
例えば、一般的な新聞用オフセット輪転印刷機は、複数の給紙装置と、複数の印刷ユニットと、ターンバー装置と、折ユニットとから構成されている。この印刷機は、各給紙装置から印刷ユニットにウェブが供給されると、各ウェブに対して印刷が施される。そして、ターンバー装置で多数のウェブの走行ルートが変更されてから所定の順番に重ね合わされた後、折機にて、ウェブが縦折りされてから所定の長さで横裁断され、横折されることで折帳が形成され、排紙される。
【０００３】
従来の輪転印刷機では、印刷ユニットは、ウェブの幅方向に４頁分の刷版が取り付けられる版胴、および該版胴に対向配置されたブランケット胴が設けられている。さらに、印刷ユニットは、両面印刷を行うように、前記ウェブの表裏面でブランケット胴が対向配置されている。このため、ウェブには、幅方向４頁で両面に印刷が施される（例えば、特許文献１参照）。
【０００４】
また、他の従来の輪転印刷機では、複数の印刷ユニットおよび複数の折ユニットが設けられ、複数の印刷ユニットおよび折ユニットが独立して同時に運転制御される。そして、折ユニット毎に違った運転パターンで運転制御することで、異種の印刷物を同時に印刷し得る（例えば、特許文献２参照）。
【０００５】
【特許文献１】特開２００５−２５４８２１号公報
【特許文献２】特開２００４−１１４７０５号公報
【発明の開示】
【発明が解決しようとする課題】
【０００６】
ところで、新聞のように、広げた１枚の面に頁が連続していない印刷物を印刷する場合、特許文献１に記載された輪転印刷機の版胴には、ウェブの幅方向に頁が連続しない形態で刷版が隣接して取り付けられる。このような場合、版胴への刷版の取り付けや、刷版の取り付け後に所定頁の色合いや汚れなどの調整を行う際に、オペレータが分かりやすいように、版胴の刷版取付位置と印刷物の頁とを対応させた頁割付を表示する印刷頁表示装置の採用が望まれている。
【０００７】
しかしながら、特許文献２に記載された輪転印刷機のように、異種の印刷物が同時に印刷される場合、前記印刷頁表示装置に異種の印刷物の同じ頁が表示されるため、どの印刷物の頁に対応する刷版であるかを判断できずオペレータが混乱することが考えられる。
【０００８】
本発明は、上記に鑑みてなされたものであって、異種の印刷物が同時に印刷される場合に、各印刷物の頁に対応した刷版の版胴への取付位置を明示することのできる印刷頁表示装置および印刷頁表示方法を提供することを目的とする。
【課題を解決するための手段】
【０００９】
上記の目的を達成するために、本発明の印刷頁表示装置では、複数の刷版が取り付けられ、異種の印刷物を同時に印刷可能に構成された輪転印刷機に用いられ、版胴の刷版取付位置と印刷物の頁とを対応させた頁割付を表示する表示部を備えた印刷頁表示装置であって、異種の印刷物が同時に印刷される場合に、前記印刷物の種類ごとに異なる指標をあらわす指標部を備えたことを特徴とする。
【００１０】
この印刷頁表示装置は、表示部への頁割付の表示に加え、指標部において印刷物の種類ごとに異なる指標をあらわすことから、異種の印刷物が同時に印刷される場合に、各印刷物の頁に対応した刷版の版胴への取付位置を明示できる。この結果、版胴において、異種の印刷物の頁に対応する刷版が何処に取り付けられているかを容易に判断できる。したがって、版胴への刷版の取り付けや、刷版の取り付け後に所定頁の色合いや汚れなどの調整を行う際に、異種の印刷物の頁割付が明確となり、オペレータが混乱する事態を防げる。
【００１１】
また、本発明の印刷頁表示装置では、前記指標部であらわされる印刷種情報を、前記表示部に表示される頁情報に対して付加する管理部と、前記管理部に接続され、前記頁情報から前記印刷種情報を取得して前記指標部を制御する制御部とを備えたことを特徴とする。
【００１２】
この印刷頁表示装置は、指標部であらわされる印刷種情報を、頁情報と併せて管理部で管理しつつ、頁情報を受信する制御部側で指標部を制御することができる。
【００１３】
また、本発明の印刷頁表示装置では、前記指標部であらわされる印刷種情報を、自身のアドレスデータに対して付加する管理部と、前記管理部に接続され、前記アドレスデータから前記印刷種情報を取得して前記指標部を制御する制御部とを備えたことを特徴とする。
【００１４】
この印刷頁表示装置は、指標部であらわされる印刷種情報を管理部のアドレスデータで管理することで、印刷物と管理部とを対応させ、管理部ごとに印刷種情報を管理しつつ、頁情報を受信する制御部側で指標部を制御することができる。
【００１５】
また、本発明の印刷頁表示装置では、前記印刷物の種類ごとに前記表示部の表示形態を変えることを特徴とする。
【００１６】
この印刷頁表示装置は、オペレータが表示部の表示を見ることで、同時に印刷物の種類が異なることを認識できる。
【００１７】
また、本発明の印刷頁表示装置では、前記版胴を備えた複数の印刷ユニットごとに設けられ、異種の印刷を行う前記印刷ユニットに対して異なる指標をあらわすことを特徴とする。
【００１８】
この印刷頁表示装置は、指標部の指標が表示部とは別形態であらわされることから、表示部の表示を見ることなく、異種の印刷物の印刷がどの印刷ユニットにより印刷されているかを認識できる。
【００１９】
また、本発明の印刷頁表示装置では、前記指標部は、同じ版胴により異種の印刷物が同時に印刷される場合、該版胴の刷版取付位置ごとに異なる指標をあらわすことを特徴とする。
【００２０】
この印刷頁表示装置は、同じ版胴において異種の印刷物が同時に印刷される場合であっても、各印刷物の頁に対応した刷版の版胴への取付位置を明示できる。
【００２１】
上記の目的を達成するために、本発明の印刷頁表示方法では、複数の刷版が取り付けられ、異種の印刷物を同時に印刷可能に構成された輪転印刷機にて、版胴の刷版取付位置と印刷物の頁とを対応させた頁割付を表示する印刷頁表示方法であって、異種の印刷物が同時に印刷されるとき、前記印刷物の種類ごとに異なる指標をあらわすことを特徴とする。
【００２２】
この印刷頁表示方法は、頁割付の表示に加え、印刷物の種類ごとに異なる指標をあらわすことから、異種の印刷物が同時に印刷されるときに、各印刷物の頁に対応した刷版の版胴への取付位置を明示できる。この結果、版胴において、異種の印刷物の頁に対応する刷版が何処に取り付けられているかを容易に判断できる。したがって、版胴への刷版の取り付けや、刷版の取り付け後に所定頁の色合いや汚れなどの調整を行う際に、異種の印刷物の頁割付が明確となり、オペレータが混乱する事態を防げる。
【発明の効果】
【００２３】
本発明によれば、異種の印刷物が同時に印刷される場合に、各印刷物の頁に対応した刷版の版胴への取付位置を明示できる。
【発明を実施するための最良の形態】
【００２４】
以下に添付図面を参照して、本発明に係る印刷頁表示装置および印刷頁表示方法の好適な実施例を詳細に説明する。なお、この実施例により本発明が限定されるものではない。
【００２５】
図１は、本発明の実施例に係る印刷頁表示装置が適用される輪転印刷機の概略構成図、図２は、図１に示す輪転印刷機における折機の概略構成図である。
【００２６】
本実施例の輪転印刷機は、例えば新聞用オフセット輪転印刷機であって、図１に示すように、複数（本実施例では、５台）の給紙装置Ｒ１〜Ｒ５と、複数（本実施例では、５台）の印刷ユニットＵ１〜Ｕ５と、ターンバー装置Ｄと、複数（本実施例では、２個）の折ユニットＦ１，Ｆ２を有する折機Ｆとから構成されている。なお、図１にて、２つの折ユニットＦ１，Ｆ２を左右に並べて記載したが、実際には、図１の紙面に直行する方向に並んで配置されている。そして、本実施例の輪転印刷機では、図示しない建屋の１階に給紙装置Ｒ１〜Ｒ５が設置され、２階および３階に印刷ユニットＵ１〜Ｕ５が設置され、３階から５階にターンバー装置Ｄが設置され、また、２階、３階に折機Ｆが設置されている。
【００２７】
各給紙装置Ｒ１〜Ｒ５には、それぞれウェブＷがロール状に巻かれた３つの巻取紙を保持する保持アーム１１〜１５が設けられている。この保持アーム１１〜１５を回転させることで、巻取紙を給紙位置に配置することができる。なお、各給紙装置Ｒ１〜Ｒ５には、図示しない紙継装置が設けられており、給紙位置で繰り出されている巻取紙が残り少なくなると、この紙継装置により給紙位置にある巻取紙に対して、待機位置にある巻取紙を紙継することができる。
【００２８】
印刷ユニットＵ１〜Ｕ５において、印刷ユニットＵ１，Ｕ２，Ｕ５は、両面４色印刷を行う多色刷印刷ユニットであり、印刷ユニットＵ３，Ｕ４は、両面２色印刷を行う２色刷印刷ユニットとなっている。すなわち、印刷ユニットＵ１，Ｕ２，Ｕ５は、それぞれ両面印刷を行うように対向配置された１対のブランケット胴１６が、４色印刷を行うようにウェブＷの搬送方向に４組配置されている。印刷ユニットＵ３，Ｕ４は、それぞれ両面印刷を行うように対向配置された１対のブランケット胴１６が、２色印刷を行うようにウェブＷの搬送方向に２組配置されている。また、印刷ユニットＵ１〜Ｕ５には、各ブランケット胴１６に対向配置された版胴１７、および図には明示しないが版胴１７に取り付けられた刷版にインキを供給するインキ供給機構が設けられている。
【００２９】
また、印刷ユニットＵ１〜Ｕ５にて、版胴１７には、ウェブＷに対し、４頁の印刷を同時に行うように、図１の紙面に直交する方向に沿って４頁の刷版が取り付けられる。そして、インキ供給機構は、１つの版胴１７の４頁の刷版にそれぞれインキを供給するように構成されている。また、ブランケット胴１６は、１つの版胴１７の４頁の刷版に供給されたインキが転写されるように構成されている。
【００３０】
そして、印刷ユニットＵ１〜Ｕ５には、ブランケット胴１６、版胴１７、およびインキ供給機構の各種インキロールを駆動する複数の駆動モータ１８〜２２が設けられている。これら駆動モータ１８〜２２は、複数のドライバ２３〜２７により駆動制御される。
【００３１】
上記給紙装置Ｒ１〜Ｒ５と印刷ユニットＵ１〜Ｕ５との間には、インフィード装置Ｉｎ１〜Ｉｎ５が設けられている。インフィード装置Ｉｎ１〜Ｉｎ５には、インフィードロールを駆動する複数の駆動モータ２９〜３３が設けられている。これら駆動モータ２９〜３３は、複数のドライバ３５〜３９により駆動制御される。
【００３２】
したがって、給紙装置Ｒ１〜Ｒ５からインフィード装置Ｉｎ１〜Ｉｎ５により印刷ユニットＵ１〜Ｕ５にウェブＷが供給されると、各印刷ユニットＵ１〜Ｕ５では、各ウェブＷに対して所定の印刷を行うことができる。
【００３３】
なお、本実施例では、印刷ユニットＵ１〜Ｕ５を、４色刷印刷ユニットＵ１，Ｕ２，Ｕ５と２色刷印刷ユニットＵ３，Ｕ４とにより構成したが、この構成に限定されるものではない。例えば、両面単色印刷を行う両面単色刷ユニットや、一面４色または一面２色印刷を行う一面多色印刷ユニットなどを含む各種ユニットを、印刷物に応じて適宜組み合わせて使用してもよい。
【００３４】
ターンバー装置Ｄは、ウェブＷを縦（ウェブＷの長手方向であってウェブＷの搬送方向）に沿ってその幅方向の中央部で裁断する複数のカッタと、縦裁断したウェブＷの搬送経路を設定する多数のターンバーとが設けられている。したがって、各印刷ユニットＵ１〜Ｕ５で４頁の印刷が施された各ウェブＷは、ターンバー装置Ｄにて、カッタにより２頁分ごとに縦裁断されると共に、ターンバーにより搬送経路が変更され、所定の順番（頁順）に重ね合わされる。
【００３５】
折機Ｆは、ターンバー装置Ｄから重ねられたウェブＷを導入して、このウェブＷを縦折りし、所定の長さで横裁断し、さらに横折りして所望の折帳Ｓを形成し、この折帳Ｓを排紙する折ユニットＦ１，Ｆ２を有している。図２では、折機Ｆの折ユニットＦ１，Ｆ２を図１の紙面横方向から視た形態を示している。図２に示すように、各折ユニットＦ１，Ｆ２は、ほぼ対称に配置されている。折ユニットＦ１，Ｆ２には、上方から下方に向けて、ドラグローラ５３、三角板５４、リードインローラ５５、ニッピングローラ５６、ガイドローラ５７、およびニッピングローラ５８が設けられている。そして、ニッピングローラ５８の下方には、折胴５９と鋸胴６０とが対向して設けられている。また、折胴５９の下方には、下方に向けて、一対の折込ローラ６１，６１、羽根車６２、排紙コンベア６３が設けられている。
【００３６】
上述したターンバー装置Ｄで所定の順番に重ねられたウェブＷは、ドラグローラ５３と紙押えローラ（図示せず）とにより三角板５４へと搬送される。三角板５４へ搬送されたウェブＷは、三角板５４上に集められつつ、リードインローラ５５によって搬送方向に縦折りされ、さらにニッピングローラ５８によって折胴５９および鋸胴６０の方へ搬送される。そして、搬送されたウェブＷは、鋸胴６０により横裁断される。さらに横裁断されたウェブＷは、同期回転する折胴５９および折込ローラ６１，６１により横折されて折帳Ｓが形成される。さらに、形成された折帳Ｓは、折込ローラ６１，６１と同期回転する羽根車６２の各羽根で順次受け取られ、排紙コンベア６３上に受け渡される。排紙コンベア６３は、図２の左右方向（図１の紙面に直交する方向）に折帳Ｓを搬送する。なお、折ユニットＦ１，Ｆ２における各排紙コンベア６３は、いずれも図２の左右双方向に折帳Ｓの搬送方向を切り換えることが可能に設けられている。
【００３７】
このような折ユニットＦ１，Ｆ２には、図１に示すように各種の搬送ローラを駆動する複数の駆動モータ４１，４２が設けられている。これら駆動モータ４１，４２は、複数のドライバ４３，４４により駆動制御される。また、折ユニットＦ１，Ｆ２には、各種の胴を駆動する複数の駆動モータ４５，４６が設けられている。これら駆動モータ４５，４６は、複数のドライバ４７，４８により駆動制御される。
【００３８】
本実施例の輪転印刷機では、上述したように、印刷ユニットＵ１〜Ｕ５にて、各駆動モータ１８〜２２がドライバ２３〜２７により駆動制御され、インフィード装置Ｉｎ１〜Ｉｎ５にて、各駆動モータ２９〜３３がドライバ３５〜３９により駆動制御され、ターンバー装置Ｄにおいて、ウェブＷの縦裁断および搬送経路の変更が可能であり、折機Ｆの折ユニットＦ１，Ｆ２において、各駆動モータ４１，４２がドライバ４３，４４により駆動制御されると共に、各駆動モータ４５，４６がドライバ４７，４８により駆動制御される。
【００３９】
そして、印刷ユニットＵ１〜Ｕ５およびインフィード装置Ｉｎ１〜Ｉｎ５の各ドライバ２３〜２７，３５〜３９は、各コントローラ（制御部）７１〜７５により制御され、ターンバー装置Ｄは、コントローラ（制御部）７６により制御され、折機Ｆにおける折ユニットＦ１のドライバ４３，４７は、コントローラ（制御部）７７により制御され、折ユニットＦ２のドライバ４４，４８は、コントローラ（制御部）７８により制御される。これら全てのコントローラ７１〜７８は、制御リンクをなすネットワークを介して管理部８０，８１に接続されている。また、管理部８０，８１には、操作装置８２，８３により操作指令が入力される。
【００４０】
このような構成の輪転印刷機は、異種の印刷物を印刷する各印刷作業を同時に行えるように制御される。
【００４１】
管理部８０は、第１印刷作業について、各印刷ユニットＵ１〜Ｕ５と折ユニットＦ１における組合せ、つまり、ターンバー装置Ｄによる各印刷ユニットＵ１〜Ｕ５から折ユニットＦ１への送出経路を、複数の印刷パターンＩＤとして記憶している。また、管理部８１は、第１印刷作業とは異種の印刷物を印刷する第２印刷作業について、各印刷ユニットＵ１〜Ｕ５と折ユニットＦ２における組合せ、つまり、ターンバー装置Ｄによる各印刷ユニットＵ１〜Ｕ５から折ユニットＦ２への送出経路を、複数の印刷パターンＩＤとして記憶している。
【００４２】
そして、オペレータが、操作装置８２と操作装置８３とを用いて、それぞれ異種の印刷パターンＩＤを選択すると、操作装置８２と操作装置８３とは、これら印刷パターンＩＤを操作指令として管理部８０と管理部８１に対して入力する。管理部８０，８１は、この２つの異種の印刷パターンＩＤを制御リンクに出力する。すると、コントローラ７１，７２，７３，７４，７５，７６，７７，７８が、この異種の印刷パターンＩＤを取り込む。そして、印刷パターンＩＤを取り込んだコントローラ７１，７２，７３，７４，７５，７６，７７，７８は、第１印刷作業について、ターンバー装置Ｄによる各印刷ユニットＵ１〜Ｕ５から折ユニットＦ１への送出経路を設定すると共に、第２印刷作業について、ターンバー装置Ｄによる各印刷ユニットＵ１〜Ｕ５から折ユニットＦ２への送出経路を設定する。そして、コントローラ７１，７２，７３，７４，７５，７６，７７，７８は、印刷ユニットＵ１〜Ｕ５およびインフィード装置Ｉｎ１〜Ｉｎ５の駆動を制御すると共に、折ユニットＦ１，Ｆ２の駆動を制御し、印刷ユニットＵ１〜Ｕ５から送出された異種印刷のウェブＷの搬送経路を折ユニットＦ１，Ｆ２にそれぞれ振り分ける。この場合、異種の印刷物を別々に振り分けるため、折ユニットＦ１，Ｆ２における各排紙コンベア６３を、折帳Ｓの搬送方向を相反する方向に切り換えることが好ましい。このように、本実施例の輪転印刷機は、各印刷ユニットＵ１〜Ｕ５により、異種の印刷物を同時に印刷できるものである。
【００４３】
なお、第１印刷作業におけるターンバー装置Ｄによる各印刷ユニットＵ１〜Ｕ５から折ユニットＦ１への送出経路や、第２印刷作業におけるターンバー装置Ｄによる各印刷ユニットＵ１〜Ｕ５から折ユニットＦ２への送出経路の操作指令は、上記印刷パターンＩＤを用いず、オペレータが、操作装置８２や操作装置８３を用いて直接入力してもよい。
【００４４】
以下、上述した輪転印刷機に適用される印刷頁表示装置について説明する。図３は、本発明の実施例に係る印刷頁表示装置の概略構成図、図４は印刷頁表示装置の表示形態の例を示す図である。
【００４５】
図３に示すように、本実施例の印刷頁表示装置は、上述した管理部８０，８１、および各コントローラ（制御部）７１，７２，７３，７４，７５を含み、表示部８５と指標部８６とを備えている。
【００４６】
表示部８５および指標部８６は、印刷ユニットＵ１〜Ｕ５にそれぞれ対応して設けられ、かつ管理部８０，８１にネットワークを介して接続された各コントローラ７１，７２，７３，７４，７５に接続されている。
【００４７】
表示部８５は、対応する印刷ユニットにおける版胴１７の刷版取付位置と、印刷物の頁とを対応させた頁割付を表示するものである。この表示部８５は、両面印刷を行う各印刷ユニットＵ１〜Ｕ５において、ウェブＷの一方の面と、他方の面とに対応してそれぞれ設けられている。
【００４８】
例えば、図４に示すように、印刷ユニットＵ１において、ウェブＷの一方の面に対応する表示部８５には、「０１」、「２４」、「０３」、「２２」と表示されている。また、同ウェブＷの他方の面に対応する表示部８５には、「０２」、「２３」、「０４」、「２１」と表示されている。この場合、印刷ユニットＵ１において、ウェブＷの一方の面に印刷する版胴には、手前から印刷物の１頁、２４頁、３頁、２２頁に対応する刷版が取り付けられることが示されている。また、ウェブＷの他方の面に印刷する版胴には、手前から印刷物の２頁、２３頁、４頁、２１頁に対応する刷版が取り付けられることが示されている。すなわち、表示部８５の表示により、印刷ユニットＵ１において、後にターンバー装置Ｄで縦裁断されて重ねられるウェブＷの半分で、印刷物の１頁の同じ面に最終頁である２４頁が印刷され、かつ１頁の裏面に２頁、２４頁の裏面に２３頁が印刷されることが分かる。また、ウェブＷの残り半分では、３頁と同じ面に２２頁が印刷され、かつ３頁の裏面に４頁、２２頁の裏面に２１頁が印刷されることが分かる。
【００４９】
指標部８６は、異種の印刷物が同時に印刷される場合、印刷物の種類ごとに異なる指標をあらわすものである。
【００５０】
例えば、異なる指標としては、図４に示すように、全２４頁の印刷物を印刷する第１印刷作業で用いられる印刷ユニットＵ１，Ｕ３，Ｕ４の表示部８５の頁表示が、白地に色付き文字であらわされている。また、第１印刷作業とは異種の印刷物であって全１６頁の印刷物を印刷する第２印刷作業で用いられる印刷ユニットＵ２，Ｕ５の表示部８５の頁表示が、上記第１印刷作業の指標に対して反転し、色付きの地に白抜き文字であらわされている。このように、本実施例では、指標部８６は、印刷物の種類ごとに表示部８５の表示形態を変えている。これにより、第１印刷作業で用いられる印刷ユニットＵ１，Ｕ３，Ｕ４と、第２印刷作業で用いられる印刷ユニットＵ２，Ｕ５とは、異種の印刷物を印刷することが分かる。
【００５１】
なお、本実施例の輪転印刷機では、上述したように、印刷ユニットＵ１〜Ｕ５が図示しない建屋の２階および３階に設置されている。さらに詳しくは、両面２色印刷を行う印刷ユニットＵ３，Ｕ４が２階に設置されている。また、両面４色印刷を行う印刷ユニットＵ１，Ｕ２，Ｕ５は、両面２色印刷分が２階に設置され、残りの両面２色分が３階に設置されている。このため、両面４色印刷を行う印刷ユニットＵ１，Ｕ２，Ｕ５では、オペレータが表示部８５および指標部８６を各階で確認できるように、同じものが２階および３階に設けられている。
【００５２】
これら、表示部８５および指標部８６は、管理部８０，８１により管理され、各コントローラ７１，７２，７３，７４，７５によって制御される。
【００５３】
表示部８５に表示される頁情報は、上述した印刷パターンＩＤ、もしくはオペレータによる操作装置８２や操作装置８３への直接入力により得られる操作指令に含まれている。また、指標部８６があらわす印刷種情報は、表示部８５に表示される頁情報に対して付加されている。
【００５４】
例えば、オペレータが、操作装置８２と操作装置８３とを用いて、それぞれ異種の印刷パターンＩＤを選択すると、操作装置８２と操作装置８３とは、これら印刷パターンＩＤを操作指令として管理部８０と管理部８１とに対して入力する。管理部８０，８１は、この２つの異種の印刷パターンＩＤを制御リンクに出力する。すると、コントローラ７１，７２，７３，７４，７５が、この異種の印刷パターンＩＤを取り込む。そして、印刷パターンＩＤを取り込んだコントローラ７１，７２，７３，７４，７５は、頁情報を取得して表示部８５に表示する。また、コントローラ７１，７２，７３，７４，７５は、第１印刷作業および第２印刷作業について、各印刷作業における頁情報に付加された印刷種情報を取得して指標部８６にあらわす。
【００５５】
このような印刷頁表示装置および印刷頁表示方法は、輪転印刷機により異種の印刷物を同時に印刷する場合、各表示部８５に、各印刷ユニットＵ１〜Ｕ５における版胴１７の刷版取付位置と、印刷物の頁とを対応させた頁割付を表示させ、かつ指標部８６に、印刷物の種類ごとに異なる指標をあらわす。これにより、異種の印刷物が同時に印刷される場合に、各印刷物の頁に対応した刷版の版胴への取付位置を明示できる。この結果、各印刷ユニットＵ１〜Ｕ５の版胴１７において、異種の印刷物の頁に対応する刷版が何処に取り付けられているかを容易に判断できる。したがって、版胴１７への刷版の取り付けや、刷版の取り付け後に所定頁の色合いや汚れなどの調整を行う際に、異種の印刷物の頁がそれぞれ明確となり、オペレータが混乱する事態を防げる。
【００５６】
また、指標部８６に、印刷物の種類ごとに異なる指標をあらわすため、管理部８１，８２では、指標部８６であらわされる印刷種情報を、表示部８５に表示される頁情報に対して付加している。そして、各コントローラ７１，７２，７３，７４，７５は、頁情報から印刷種情報を取得して指標部８６を制御する。かかる構成により、指標部８６であらわされる印刷種情報を、頁情報と併せて管理しつつ、頁情報を受信する各コントローラ７１，７２，７３，７４，７５側で指標部８６を制御することができる。
【００５７】
なお、上述した印刷頁表示装置では、印刷物の種類ごとに対応する印刷種情報が、第１印刷作業を管理する管理部８０と、第２印刷作業を管理する管理部８１とのアドレスデータに付加されていてもよい。そして、コントローラ７１，７２，７３，７４，７５は、第１印刷作業および第２印刷作業について、管理部８０と管理部８１とのアドレスデータに付加された印刷種情報を取得して指標部８６を制御する。このように、指標部８６であらわされる印刷種情報を、管理部８０，８１のアドレスデータで管理することで、印刷物と管理部とを対応させ、管理部８０，８１ごとに印刷種情報を管理しつつ、頁情報を受信するコントローラ７１，７２，７３，７４，７５側で指標部８６を制御することができる。
【００５８】
また、上述した印刷頁表示装置では、指標部８６は、印刷物の種類ごとに表示部８５の表示形態を変えている。このため、オペレータは、表示部８５の表示を見ることで、同時に印刷物の種類が異なることを認識できる。なお、刷物の種類ごとに表示部８５の表示形態を変える方法としては、上述したように表示部８５の表示形態を反転させるものに限らない。その他の方法としては、例えば、フリッカ表示、点滅表示、文字フォント変更、文字色変更、固定指標表示追加など、様々な方法を用いることが可能である。
【００５９】
また、上述した印刷頁表示装置では、印刷ユニットＵ１〜Ｕ５単位で異種の印刷物の印刷を行っている。このため、指標部８６は、表示部８５とは別形態で、異種の印刷物の印刷を行う印刷ユニットＵ１〜Ｕ５ごとに指標をあらわすように構成されていてもよい。この場合、例えば、印刷ユニットＵ１〜Ｕ５にランプを設け、このランプの点灯／消灯や、ランプの色変更など、様々な方法を用いることが可能である。かかる構成によれば、表示部８５の表示を見ることなく、異種の印刷物の印刷がどの印刷ユニットの版胴１７により印刷されているかを認識できる。
【００６０】
なお、上述したように、異種の印刷物を別々に振り分けるため、折ユニットＦ１，Ｆ２における各排紙コンベア６３を、折帳Ｓの搬送方向を相反する方向に切り換えることが好ましい。そして、指標部８６にあらわされる指標に、どちらの折ユニットＦ１，Ｆ２から排紙される印刷物であるかを、上記表示形態の変更や、表示部８５とは別形態の指標で示す。これによれば、折ユニットＦ１，Ｆ２からそれぞれ排紙された異種の印刷物がどの印刷ユニットＵ１〜Ｕ５で印刷され、その印刷ユニットＵ１〜Ｕ５の版胴１７において、印刷物の頁に対応する刷版が版胴１７の何処に取り付けられているかを容易に判断できる。
【００６１】
なお、上述した印刷頁表示装置では、印刷ユニットＵ１〜Ｕ５単位で異種の印刷物の印刷を行っているが、これに限らず、同じ版胴１７において、異種の印刷物の印刷を同時に行うようにすることも可能である。たとえば、１つの版胴１７に取り付けられる４つの刷版のうち、２つずつ半々で異種の印刷物の印刷を行うようにする。この場合、指標部８６は、印刷物の種類ごとに表示部８５の表示形態を変えるようにし、刷版位置ごとに異なる指標をあらわすようにすればよい。かかる構成によれば、異種の印刷物を同時に印刷した場合に、各印刷物の頁に対応した刷版の版胴への取付位置を明示できる。この結果、版胴１７において、異種の印刷物の頁に対応する刷版が何処に取り付けられているかを容易に判断できる。したがって、版胴１７への刷版の取り付けや、刷版の取り付け後に所定頁の色合いや汚れなどの調整を行う際に、異種の印刷物の頁がそれぞれ明確となり、オペレータが混乱する事態を防げる。
【００６２】
また、上述した印刷頁表示装置では、２つの異種の印刷物を同時に印刷する場合を説明したが、これに限らない。例えば、３以上の異種の印刷物を印刷する場合でも、印刷物の種類の分、管理部および操作装置と折ユニットとを配置することで、各表示部８５に、各印刷ユニットＵ１〜Ｕ５における版胴１７の刷版取付位置と、印刷物の頁とを対応させた頁割付を表示させ、かつ指標部８６に、印刷物の種類ごとに異なる指標をあらわすことができる。
【００６３】
ところで、上述した印刷頁表示装置では、第１印刷作業を管理する管理部８０と、第１印刷作業とは異種の印刷物を印刷する第２印刷作業を管理する管理部８１とを備えたものである。これに限らず、管理部を１つとし、この管理部に接続された操作装置を用いてオペレータが異種の印刷パターンＩＤの選択（または直接入力）するようにしてもよい。この場合、管理部では、指標部８６であらわされる印刷種情報を、表示部８５に表示される頁情報に付加して各コントローラ７１，７２，７３，７４，７５に出力する。そして、各コントローラ７１，７２，７３，７４，７５は、頁情報から印刷種情報を取得して指標部を制御する。かかる構成によれば、管理部および操作装置の構成を１つにして設備コストを低減でき、特に３以上の異種の印刷物が印刷される場合に、その種類の分の管理部および操作装置を配置する必要がない。
【００６４】
また、上述した印刷頁表示装置において、両面４色印刷を行う印刷ユニットＵ１，Ｕ２，Ｕ５を、途中の両面２色印刷のユニット（図示しない建屋の２階に設置されたユニット）から途中でウェブＷを引き出すように構成し、該両面２色印刷のユニットと、両面４色印刷のユニット（２階および３階に設置されたユニット）とに分け、これらのユニットごとに異種の印刷物の印刷を行ってもよい。この場合、分けられたユニットごとに表示部８５および指標部８６を設けて、頁割付の表示および指標をあらわすように構成する。
【産業上の利用可能性】
【００６５】
以上のように、本発明に係る印刷頁表示装置および印刷頁表示方法は、輪転印刷機において、異種の印刷物が同時に印刷される場合に、各印刷物の頁に対応した刷版の版胴への取付位置を明示することに適している。
【図面の簡単な説明】
【００６６】
【図１】本発明の実施例に係る印刷頁表示装置が適用される輪転印刷機の概略構成図である。
【図２】図１に示す輪転印刷機における折機の概略構成図である。
【図３】本発明の実施例に係る印刷頁表示装置の概略構成図である。
【図４】印刷頁表示装置の表示形態の例を示す図である。
【符号の説明】
【００６７】
Ｒ１〜Ｒ５  給紙装置
Ｕ１〜Ｕ１  印刷ユニット
Ｄ  ターンバー装置
Ｆ  折機
Ｆ１，Ｆ２  折ユニット
Ｉｎ１〜Ｉｎ５  インフィード装置
１６  ブランケット胴
１７  版胴
７１〜７８  コントローラ
８０，８１  管理部
８２，８３  操作装置
８５  表示部
８６  指標部
Ｗ  ウェブ
Ｓ  折帳
【図１】
0005254639.tif 000002
【図２】
0005254639.tif 000003
【図３】
0005254639.tif 000004
【図４】
0005254639.tif 000005